(57)【要約】【課題】簡易な操作で、あるプロジェクターの設定項目の設定内容を他のプロジェクターにも設定できるようにする。【解決手段】プロジェクター１の複数の設定項目２１ａを予め決められた手順で符号化した設定コードＰ１を生成し、生成された設定コードＰ１を他のプロジェクターに入力すると、入力された設定コードＰ１を復号して設定項目２１ａの設定内容を変更する。これにより複数のプロジェクターに同じ設定コードを入力することで設定項目の内容を揃えることが可能となる。【選択図】図３
2013044852.tif 000002
【特許請求の範囲】
【請求項１】
光源から射出された光を画像情報に応じて変調して画像投写手段により投写するプロジェクターであって、
前記プロジェクターの複数の設定項目と、当該複数の設定項目の各設定項目の内容とを記憶する記憶手段と、
前記各設定項目の内容を予め決められた手順に従って符号化した設定コードを生成する設定コード生成手段と、
前記設定コードを前記画像投写手段により投写する設定コード出力手段と、
前記各設定項目の内容を設定するための前記設定コードの入力を受け付ける設定コード入力手段と、
前記設定コード入力手段によって受け付けられた前記設定コードより、前記各設定項目の内容を復号し、前記複数の設定項目にそれぞれ設定する設定コード復号手段と、
入力操作を受け付ける入力操作手段と、
を備え、
前記設定コード入力手段は、前記入力操作手段に入力された前記設定コードを受け付けることを特徴とする、プロジェクター。
【請求項２】
請求項１に記載のプロジェクターであって、
前記設定コード出力手段は、前記設定コードを記録媒体に保存し、
前記設定コード入力手段は、前記記録媒体に保存された前記設定コードを読み取り、受け付けることを特徴とする、プロジェクター。
【請求項３】
請求項１または２に記載のプロジェクターであって、
前記プロジェクターと、有線または無線で前記プロジェクターに接続された他のプロジェクターと、の間で通信を行う通信手段をさらに備え、
前記設定コード出力手段は、前記通信手段により、前記他のプロジェクターに前記設定コードを送信し、
前記設定コード入力手段は、前記通信手段により、前記他のプロジェクターより、前記設定コードを受信することで入力を受け付けることを特徴とする、プロジェクター。
【請求項４】
請求項１から３のいずれか一項に記載のプロジェクターであって、
ネットワークを介してサーバーと通信するネットワーク通信手段をさらに備え、
前記設定コード出力手段は、前記ネットワークに接続されている前記サーバーに前記設定コードを送信し、
前記設定コード入力手段は、前記ネットワークに接続されている前記サーバーより、前記設定コードを取得し、入力を受け付けることを特徴とする、プロジェクター。
【請求項５】
光源から射出された光を画像情報に応じて変調して投写するプロジェクターの制御方法であって、
前記プロジェクターの複数の各設定項目の内容を、予め決められた手順に従って符号化した設定コードを生成する設定コード生成ステップと、
前記設定コードを画像投写手段により投写する設定コード出力ステップと、
前記各設定項目の内容を変更するための前記設定コードの入力を受け付ける設定コード入力ステップと、
前記設定コード入力ステップによって受け付けられた前記設定コードより、前記各設定項目の内容を復号し、複数の設定項目にそれぞれ設定する設定コード復号ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
プロジェクターには、映像調整、音声調整、システム設定など多数の設定項目があり、これらはメニューから選択して設定し、プロジェクター内部の記憶部に保存される。複数のプロジェクターが使われる環境において、これら多数の設定項目の設定内容を揃えて使いたい場合がある。
【０００３】
特許文献１には、ＩＤごとに明るさ等の設定データを本体の保存手段またはＵＳＢキーに記憶する画像表示装置が開示されている。この画像表示装置によれば、ＩＤごとに設定データを保存することができる。
【先行技術文献】
【特許文献】
【０００４】
【特許文献１】特開２００５−３５１９９６号公報
【発明の概要】
【発明が解決しようとする課題】
【０００５】
しかし、特許文献１の方法では、複数のプロジェクター（画像表示装置）が使われる環境において、複数のプロジェクターの設定項目の設定内容を揃えたい場合、その全てのプロジェクターにＩＤを登録しておかなくてはならないため煩雑な操作が必要であった。また、プロジェクターが天吊設置されているような場合はＵＳＢキーを接続することはできないという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を画像情報に応じて変調して画像投写手段により投写するプロジェクターであって、前記プロジェクターの複数の設定項目と、当該複数の設定項目の各設定項目の内容とを記憶する記憶手段と、前記各設定項目の内容を予め決められた手順に従って符号化した設定コードを生成する設定コード生成手段と、前記設定コードを前記画像投写手段により投写する設定コード出力手段と、前記各設定項目の内容を設定するための前記設定コードの入力を受け付ける設定コード入力手段と、前記設定コード入力手段によって受け付けられた前記設定コードより、前記各設定項目の内容を復号し、複数の設定項目にそれぞれ設定する設定コード復号手段と、入力操作を受け付ける入力操作手段と、を備え、前記設定コード入力手段は、前記入力操作手段に入力された前記設定コードを受け付けることを特徴とする。
【０００８】
本適用例のプロジェクターによれば、設定コード生成手段により複数の設定項目の内容を、予め決められた手順によって符号化した設定コードが生成され、設定コード出力手段により投写される。この投写された設定コードを入力操作手段によって他のプロジェクターに入力し、設定コード入力手段が受け付けることで、設定コード復号手段は複数の設定項目の内容を復号することができる。つまり、他のプロジェクターに設定コードを入力することで、同じ設定項目の内容を設定することが可能となり、複数のプロジェクターに同じ設定コードを入力することで設定項目の内容を揃えることが可能となる。また、設定コードを入力操作手段によって入力するので、ＵＳＢキーを用いる必要がなく、プロジェクターが天吊状態に設置されている場合でも、特別な接続操作を行わずに設定項目を設定することが可能となる。
【０００９】
［適用例２］上記適用例に記載のプロジェクターにおいて、前記設定コード出力手段は、前記設定コードを記録媒体に保存し、前記設定コード入力手段は、前記記録媒体に保存された前記設定コードを読み取り、受け付けることを特徴とする。
【００１０】
本適用例のプロジェクターによれば、設定コード出力手段によって設定コードを記録媒体に保存し、設定コード入力手段によって、記録媒体に保存された設定コードを読み取り、受け付けることで設定項目の内容をプロジェクターに復号できる。つまり、記録媒体から設定コードを読み取ることで設定コードを受け付けることができるので、煩雑な操作なしに複数のプロジェクターの設定項目の内容を揃えることが可能となる。
【００１１】
［適用例３］上記適用例に記載のプロジェクターにおいて、前記プロジェクターと、有線または無線で前記プロジェクターに接続された他のプロジェクターと、の間で通信を行う通信手段とをさらに備え、前記設定コード出力手段は、前記通信手段により、前記他のプロジェクターに前記設定コードを送信し、前記設定コード入力手段は、前記通信手段により、前記他のプロジェクターより、前記設定コードを受信することで入力を受け付けることを特徴とする。
【００１２】
本適用例のプロジェクターによれば、有線または無線で接続されたプロジェクター間において、通信手段により設定コードを送受信することで、設定コードの設定項目の内容を他のプロジェクターの設定項目に復号できる。つまり、有線または無線で接続されたプロジェクター間での通信により、煩雑な操作なしに設定項目の内容を揃えることが可能となる。
【００１３】
［適用例４］上記適用例に記載のプロジェクターにおいて、ネットワークを介してサーバーと通信するネットワーク通信手段をさらに備え、前記設定コード出力手段は、前記ネットワークに接続されている前記サーバーに前記設定コードを送信し、前記設定コード入力手段は、前記ネットワークに接続されている前記サーバーより、前記設定コードを取得し、入力を受け付けることを特徴とする。
【００１４】
本適用例のプロジェクターによれば、設定コード出力手段によりネットワークに接続されたサーバーに設定コードを保存し、設定コード入力手段によってサーバーに保存された設定コードを取得し、入力を受け付けて設定コードの内容を復号することができる。これにより、直接接続されていなくても、同じサーバーと接続するネットワーク上のプロジェクターであれば、煩雑な操作なしに設定項目の内容を揃えることが可能となる。
【００１５】
［適用例５］本適用例に係るプロジェクターの制御方法は、光源から射出された光を画像情報に応じて変調して画像投写手段により投写するプロジェクターの制御方法であって、前記プロジェクターの複数の各設定項目の内容を、予め決められた手順に従って符号化した設定コードを生成する設定コード生成ステップと、前記設定コードを画像投写手段により投写する設定コード出力ステップと、前記各設定項目の内容を変更するための前記設定コードの入力を受け付ける設定コード入力ステップと、前記設定コード入力ステップによって受け付けられた前記設定コードより、前記各設定項目の内容を復号し、複数の設定項目にそれぞれ設定する設定コード復号ステップと、を有することを特徴とする。
【００１６】
本適用例のプロジェクターの制御方法によれば、設定コード生成ステップにより複数の設定項目の内容を予め決められた手順によって符号化した設定コードが生成され、設定コード出力ステップにより投写される。この投写された設定コードを設定コード入力ステップによって他のプロジェクターに入力し、設定コード入力ステップが受け付けることで、設定コード復号ステップによって複数の設定項目の内容を復号する。つまり、他のプロジェクターに設定コードを入力することで、同じ設定項目の内容を設定することが可能となり、複数のプロジェクターに同じ設定コードを入力することで設定項目の内容を揃えることが可能となる。
【図面の簡単な説明】
【００１７】
【図１】プロジェクターの回路構成を示すブロック図。
【図２】プロジェクターの設定コードの生成手順の一例を示す図。
【図３】プロジェクターが設定コードの出力操作を受け付けた時の動作を示すフローチャート。
【図４】プロジェクターが設定コードの入力操作を受け付けた時の動作を示すフローチャート。
【図５】プロジェクターの画面を示す図であり、（ａ）は設定コードの出力メニュー画面の一例、（ｂ）は設定コードの入力メニュー画面の一例、（ｃ）は設定コードを入力操作手段から入力するときの画面の一例、を示す図。
【発明を実施するための形態】
【００１８】
以下、図面を参照して本発明の一実施形態について説明する。なお、以下の実施形態は特許請求の範囲にかかる発明を限定するものではなく、また、実施形態における特徴の組み合わせの全てが発明の解決手段に必須であるとは限らない。
【００１９】
（第１実施形態）
図１は本実施形態のプロジェクター１の回路構成を示すブロック図である。
図１に示すように、プロジェクター１は、画像投写手段１０、ＯＳＤ処理手段１６、画像信号処理手段１７、画像信号入力手段１８、制御手段２０、記憶手段２１、入力操作手段２３、光源制御手段２５、電源端子３０、電源部３１、通信手段４１等で構成されており、これらは図示しないプロジェクター１の筐体の内部に収容されている。
【００２０】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２１】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２２】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。液晶駆動手段１４が、入力される画像情報に応じた駆動電圧を各画素に印加すると、各画素は、画像情報に応じた光透過率に設定される。
【００２３】
このため、光源１１から射出された光は、この液晶ライトバルブ１２Ｒ、１２Ｇ、１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００２４】
本実施形態では、光源１１として光源ランプ１１ａを用いて投写するプロジェクター１を例示したが、本発明は光源としてＬＥＤ（Light Emitting Diode）光源やレーザー光源などを用いて投写するプロジェクターにも適用することができる。また、画像投写手段１０では、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２５】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。本実施形態において制御手段２０は、設定コード生成手段２０ａ、設定コード出力手段２０ｂ、設定コード入力手段２０ｃ、設定コード復号手段２０ｄを含み構成される。
【００２６】
設定コード生成手段２０ａは、プロジェクター１の複数の設定項目２１ａ（後述する）の各設定項目の内容から、予め決められた手順で符号化した設定コードＰ１を生成する。
設定コード出力手段２０ｂは、設定コード生成手段２０ａで生成された、設定コードＰ１を、記録媒体Ｍ、有線または無線で接続された他のプロジェクター、またはネットワークに接続されたサーバーに出力する。
設定コード入力手段２０ｃは、（ａ）入力操作手段２３からの入力操作、（ｂ）記録媒体Ｍからの読み取り、（ｃ）有線または無線で接続された他のプロジェクターからの受信、（ｄ）ネットワークに接続されたサーバーからの受信、のいずれかの方法で設定コードＰ１の入力を受け付ける。
設定コード復号手段２０ｄは、設定コード入力手段２０ｃにより入力された設定コードＰ１を復号し、各設定項目の内容を設定する。
【００２７】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。記憶手段２１には設定データとして、プロジェクター１の複数の設定項目２１ａと、複数の設定項目の各設定項目の内容（設定内容とも称する）とが保存される。
【００２８】
入力操作手段２３は、プロジェクター１が、ユーザーからの入力操作を受け付けるものである。入力操作手段２３は、図示は省略するが、ユーザーがプロジェクター１に対して各種指示を行うための複数の操作キーを備えており、プロジェクター１の筐体外面に備えられる本体キーまたは、遠隔操作で入力操作を行うリモートコントローラー（リモコン）で構成される。
入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー、また、プロジェクター１に設定コードＰ１を入力するための文字・数字キー等がある。
【００２９】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３０】
画像信号入力手段１８は、複数の画像入力端子を備えており、各画像入力端子より、ビデオ再生装置やパーソナルコンピューター等、外部の画像出力装置から、図示しないケーブルを介して画像情報が入力される。
【００３１】
画像信号処理手段１７は、画像信号入力手段１８から入力される画像情報を、液晶ライトバルブ１２Ｒ、１２Ｇ、１２Ｂの各画素の階調を表す画像情報に変換する。ここで、変換された画像情報は、Ｒ、Ｇ、Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３２】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３３】
液晶駆動手段１４は、ＯＳＤ処理手段１６から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３４】
光源制御手段２５は、制御手段２０の指示に基づいて、光源１１に対する電力の供給と停止とを制御し、光源１１の点灯、及び消灯を切り替える。
【００３５】
電源部３１には、電源端子３０を介してＡＣ１００Ｖ等の電力が外部から供給される。電源部３１は、供給された電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３６】
通信手段４１は、図示しない他のプロジェクターと通信し、接続された他のプロジェクターへ設定コードＰ１を送信したり、他のプロジェクターより設定コードＰ１を受信したりする。
通信手段４１はまた、ネットワーク通信手段として動作し、ネットワーク上に接続されたサーバーに設定コードＰ１を保存したり、サーバーより設定コードＰ１を取得したりするための通信を行う。
【００３７】
次に設定コードＰ１の生成手順の一例を、図２を用いて説明する。
図２において、設定内容Ｂ１は１３種類の設定項目の内容をビット列化したものであり、設定項目（１）〜（３）はそれぞれ２ビット（ビットデータ０〜３）、設定項目（４）は３ビット（ビットデータ０〜７）、設定項目（５）は１ビット（ビットデータ０、１）、のように設定内容Ｂ１のビットを結合して並べている。
図２の例では１３種類の設定項目で、設定内容Ｂ１は計３０ビットのビット列になる。このビット列を５ビット列のブロックＢＡ１〜ＢＡ６に分割し、それぞれのブロック内の５ビットのビットデータ（０〜３１）を合計する。そして、合計した数値を変換テーブルＴＢ１に従って文字に変換したもの（図２の例では「ＬＪＥＧＮ９」）が設定コードＰ１となる。
図２の例では設定内容Ｂ１のビット列を文字列に変換しているが、これにチェックサムを付加してもよい。
【００３８】
次に、本実施形態のプロジェクターの動作について図３、および図４のフローチャートを用いて説明する。
【００３９】
（プロジェクターが設定コードの出力操作を受け付けた時の動作）
図３に示すように、プロジェクター１が入力操作手段２３から設定コードＰ１の出力操作を受け付けると（ステップＳ１０１）、制御手段２０は複数の設定項目２１ａの各設定内容を記憶手段２１より取得し（ステップＳ１０２）、ステップＳ１０３に遷移する。
【００４０】
ステップＳ１０３において、制御手段２０の設定コード生成手段２０ａはステップＳ１０２で取得した設定項目２１ａの設定内容を符号化して設定コードＰ１を生成し、ステップＳ１０４に遷移する。
このステップＳ１０３が、設定コード生成ステップに相当する。
【００４１】
ステップＳ１０４において、制御手段２０の設定コード出力手段２０ｂはステップＳ１０３で生成した設定コードＰ１を、設定コード出力メニュー画面Ｍ１とともに画像投写手段１０に投写し、ステップＳ１０５に遷移する。このときの設定コード出力メニュー画面Ｍ１の一例を図５（ａ）に示す。
このステップＳ１０４が、設定コード出力ステップに相当する。
【００４２】
ステップＳ１０５において制御手段２０は、設定コード出力メニュー画面Ｍ１に対する応答が、記録媒体Ｍに設定コードＰ１を保存する操作か否かを調べる。
応答操作が記録媒体Ｍに設定コードＰ１を保存する操作の場合（ステップＳ１０５：Ｙ）、設定コード出力手段２０ｂは、設定コードＰ１を記録媒体Ｍに保存し（ステップＳ１０９）、ステップＳ１１１に遷移する。
一方、応答操作が、記録媒体Ｍに設定コードＰ１を保存する操作ではない場合（ステップＳ１０５：Ｎ）、ステップＳ１０６に遷移する。
【００４３】
ステップＳ１０６において制御手段２０は、設定コード出力メニュー画面Ｍ１に対する応答操作が、他のプロジェクターに設定コードＰ１を送信する操作か否かを調べる。
応答操作が他のプロジェクターに設定コードＰ１を送信する操作の場合（ステップＳ１０６：Ｙ）、設定コード出力手段２０ｂは、有線または無線で接続された他のプロジェクターに設定コードＰ１を送信し（ステップＳ１１０）、ステップＳ１１１に遷移する。
一方、応答操作が他のプロジェクターに設定コードＰ１を送信する操作ではない場合（ステップＳ１０６：Ｎ）、ステップＳ１０７に遷移する。
【００４４】
ステップＳ１０７において制御手段２０は、設定コード出力メニュー画面Ｍ１に対する応答操作が、ネットワークサーバーに設定コードＰ１を保存する操作か否かを調べる。
応答操作がネットワークサーバーに設定コードＰ１を保存する操作の場合（ステップＳ１０７：Ｙ）、設定コード出力手段２０ｂは、ネットワーク上に接続されたサーバーに設定コードＰ１を送信して、保存し（ステップＳ１０８）、ステップＳ１１１に遷移する。
一方、応答操作がネットワークサーバーに設定コードＰ１を保存する操作でない場合（ステップＳ１０７：Ｎ）、ステップＳ１１１に遷移する。
【００４５】
ステップＳ１１１において、本動作フローを終了し、元の動作に戻る。
【００４６】
（プロジェクターが設定コードの入力操作を受け付けた時の動作）
図４に示すように、プロジェクター１が入力操作手段２３から設定コードＰ１の入力操作を受け付けると（ステップＳ２０１）、制御手段２０は設定コード入力メニュー画面Ｍ２を画像投写手段１０に投写させ（ステップＳ２０２）、ステップＳ２０３に遷移する。このときの設定コード入力メニュー画面Ｍ２の一例を図５（ｂ）に示す。
【００４７】
ステップＳ２０３において制御手段２０は、設定コード入力メニュー画面Ｍ２に対する応答（応答操作）が、入力操作手段２３から設定コードＰ１を入力する操作か否かを調べる。言い換えると、本体キーまたはリモコンなどに備えられている操作キーから設定コードＰ１をキー入力する操作か否かを調べる。
応答操作が、入力操作手段２３から設定コードＰ１を入力する操作の場合（ステップＳ２０３：Ｙ）、設定コード入力手段２０ｃは、入力操作手段２３より、設定コードＰ１の入力を受け付け、（ステップＳ２１０）、ステップＳ２１５に遷移する。このときの設定コード入力画面Ｍ３の一例を図５（ｃ）に示す。
一方、応答操作が、入力操作手段２３から設定コードＰ１を入力する操作ではない場合（ステップＳ２０３：Ｎ）、ステップＳ２０４に遷移する。
【００４８】
ステップＳ２０４において制御手段２０は、設定コード入力メニュー画面Ｍ２に対する応答が、記録媒体Ｍから設定コードＰ１を読み込む操作か否かを調べる。
応答操作が、記録媒体Ｍから設定コードＰ１を読み込む操作の場合（ステップＳ２０４：Ｙ）、設定コード入力手段２０ｃは、設定コードＰ１を記録媒体Ｍから読み込み（ステップＳ２１１）、ステップＳ２１５に遷移する。
一方、応答操作が、記録媒体Ｍから設定コードＰ１を読み込む操作ではない場合（ステップＳ２０４：Ｎ）、ステップＳ２０５に遷移する。
【００４９】
ステップＳ２０５において制御手段２０は、設定コード入力メニュー画面Ｍ２に対する応答が、他のプロジェクターから設定コードＰ１を受信する操作か否かを調べる。
応答操作が、他のプロジェクターから設定コードＰ１を受信する操作の場合（ステップＳ２０５：Ｙ）、設定コード入力手段２０ｃは、有線または無線で接続された他のプロジェクターから設定コードＰ１を受信し（ステップＳ２１２）、ステップＳ２１５に遷移する。
一方、応答操作が、他のプロジェクターから設定コードＰ１を受信する操作ではない場合（ステップＳ２０５：Ｎ）、ステップＳ２０６に遷移する。
【００５０】
ステップＳ２０６において制御手段２０は、設定コード入力メニュー画面Ｍ２に対する応答が、ネットワークサーバーから設定コードＰ１を取得する操作か否かを調べる。
応答操作が、ネットワークサーバーから設定コードＰ１を取得する操作の場合（ステップＳ２０６：Ｙ）、設定コード入力手段２０ｃは、ネットワークに接続されたサーバーから設定コードＰ１を取得し（ステップＳ２０７）、ステップＳ２１５に遷移する。
一方、応答操作が、ネットワークサーバーから設定コードＰ１を取得する操作ではない場合（ステップＳ２０６：Ｎ）、ステップＳ２１７に遷移する。
【００５１】
以上のステップＳ２１０，Ｓ２１１，Ｓ２１２，Ｓ２０７が、設定コード入力ステップに相当する。
【００５２】
ステップＳ２１５において、設定コード復号手段２０ｄは設定コード入力手段２０ｃにより受け付けられた設定コードＰ１が有効か（例えば、チェックサムが正しいか）否かを調べる。設定コードＰ１が有効な場合（ステップＳ２１５：Ｙ）、ステップＳ２１６に遷移する。設定コードＰ１が有効でない場合（ステップＳ２１５：Ｎ）、ステップＳ２１７に遷移する。
【００５３】
ステップＳ２１６において、設定コード復号手段２０ｄは、受け付けた設定コードＰ１から各設定項目の内容を復号し、設定項目２１ａに設定し、ステップＳ２１７に遷移する。
このステップＳ２１６が、設定コード復号ステップに相当する。
【００５４】
ステップＳ２１７において、本動作フローを終了し、元の動作に戻る。
【００５５】
以上、説明したように、本実施形態のプロジェクター１によれば、設定コード生成手段２０ａにより複数の設定項目２１ａの内容を、予め決められた手順によって符号化した設定コードＰ１が生成され、設定コード出力手段２０ｂにより投写される。この投写された設定コードＰ１を入力操作手段２３によって他のプロジェクターに入力し、設定コード入力手段２０ｃが受け付けることで、設定コード復号手段２０ｄは複数の設定項目２１ａの内容を復号する。つまり、他のプロジェクターに設定コードＰ１を入力することで、同じ設定項目の内容を設定することが可能となり、複数のプロジェクターに同じ設定コードを入力することで設定項目２１ａの設定内容Ｂ１を揃えることが可能となる。また、設定コードＰ１を入力操作手段２３によって入力するので、プロジェクター１が天吊状態に設置されている場合でも、特別な接続操作を行わずに設定項目２１ａを設定することが可能となる。
【００５６】
また、設定コード出力手段２０ｃによって設定コードＰ１を記録媒体Ｍに保存し、設定コード入力手段２０ｃによって、記録媒体Ｍに保存された設定コードＰ１を読み取り、受け付けることで設定項目の内容をプロジェクター１の設定項目２１ａに復号できる。つまり、記録媒体から設定コードを読み取ることで設定コードを受け付けることができるので、煩雑な操作なしに複数のプロジェクターの設定項目の内容を揃えることが可能となる。
【００５７】
また、有線または無線で接続されたプロジェクター間において、通信手段により設定コードＰ１を送受信することで、設定コードＰ１の設定項目の内容を他のプロジェクターの設定項目２１ａに復号できる。つまり、有線または無線で接続されたプロジェクター間での通信により、煩雑な操作なしに設定項目２１ａの内容を揃えることが可能となる。
【００５８】
また、設定コード出力手段２０ｂによりネットワークに接続されたサーバーに設定コードＰ１を保存し、設定コード入力手段２０ｃによってサーバーに保存された設定コードＰ１を取得し、入力を受け付けて設定コードＰ１の内容を復号することができる。これにより、直接接続されていなくても、同じサーバーと接続するネットワーク上のプロジェクターであれば、煩雑な操作なしに設定項目２１ａの内容を揃えることが可能となる。
【００５９】
また、上記実施形態は、以下のように変更してもよい。
（変形例１）
上記実施形態のプロジェクター１では複数の設定項目２１ａの内容を符号化した設定コードＰ１を生成しているが、符号化する設定項目を選択できるようにしてもよい。これにより、複数のプロジェクターでそれぞれが独自に設定する項目と、全てのプロジェクターで同じ内容に設定し、揃える項目とを選択することが可能となる。
【符号の説明】
【００６０】
１…プロジェクター、１０…画像投写手段、１１…光源、１２Ｒ、１２Ｇ、１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０ａ…設定コード生成手段、２０ｂ…設定コード出力手段、２１…記憶手段、２１ａ…設定項目、２３…入力操作手段、２５…光源制御手段、３０…電源端子、３１…電源部、４１…通信手段、Ｐ１…設定コード、Ｍ…記録媒体。
【図１】
2013044852.tif 000003
【図２】
2013044852.tif 000004
【図３】
2013044852.tif 000005
【図４】
2013044852.tif 000006
【図５】
2013044852.tif 000007